(57)【特許請求の範囲】
【請求項１】
以下の手順とすることを特徴とした杭穴掘削方法
(1) 掘削ロッドに連設された嵌挿杆と、掘削ヘッドに連結した連結杆とを、回転方向係脱自在に連結し、
(2) 掘削時には、前記掘削ロッドを下圧力を加え回転し、前記嵌挿杆と前記連結杆の嵌合孔とを嵌合して回転方向に拘束して、前記掘削ヘッドで掘削する。
(3) 排土のみを行う時には、前記掘削ロッドを持ち上げて回転し、前記嵌挿杆を上方へ摺動させ、前記嵌合孔と前記嵌挿杆との係合を解いて、回転方向で不拘束とし、排土のみを行う。
(4) 前記掘削ロッドを引き上げる時には、前記掘削ロッドを持ち上げて、前記嵌挿杆を上方へ摺動させ、前記嵌合孔と前記嵌挿杆との係合を解いて、回転方向で不拘束とする。
【請求項２】
掘削ロッドを、スクリュー付きの掘削ロッドとして、中掘工法に適用する請求項１に記載の杭穴掘削方法。
【発明の詳細な説明】
【０００１】
【産業上の利用分野】
この発明は、掘削時には連結し、排土時又は掘削ロッド昇降時に回転方向のみ不拘束とした掘削ロッドを使用した杭穴掘削方法に関する。
【０００２】
【従来の技術】
従来掘削掘削ヘッドとロッドとは軸方向はもとより回転方向も緊密に固定されており、一体的になっている。
【０００３】
【発明により解決すべき課題】
前記従来の掘削ロッドと掘削ヘッドの連結によれば掘削ロッドを回転すれば常時掘削ヘッドも回転することになるので、例えば、スクリュー付掘削ロッドの場合には、掘削ヘッドに関係なく掘削ロッドのみを回転し泥土のみを排出することは困難であつた。従つて掘削ロッドを取り出す時にも掘削ヘッドを回転しながら、排土しつつ杭孔から抜き取らなければらない問題点があった。
【０００４】
特に中掘り工法においては、掘削ヘッドを回転しつつ掘削ロッドを抜くと、掘削ヘッドによって杭内壁を損傷するおそれがあつた。
【０００５】
【課題を解決する為の手段】
然るにこの発明はロッドと掘削ヘッドとを回転方向の係脱手段を有する連結杆で連結したので、掘削時と、掘削を中止し、泥土を排出する時又は掘削ロッド昇降時に、掘削ヘッドを回転方向に拘束し、又は不拘束にすることにより、前記従来の問題点を解決したのである。
【０００６】
即ちこの発明は、以下の手順とすることを特徴とした杭穴掘削方法である。
(1) 掘削ロッドに連設された嵌挿杆と、掘削ヘッドに連結した連結杆とを、回転方向係脱自在に連結し、
(2) 掘削時には、前記掘削ロッドを下圧力を加え回転し、前記嵌挿杆と前記連結杆の嵌合孔とを嵌合して回転方向に拘束して、前記掘削ヘッドで掘削する。
(3) 排土のみを行う時には、前記掘削ロッドを持ち上げて回転し、前記嵌挿杆を上方へ摺動させ、前記嵌合孔と前記嵌挿杆との係合を解いて、回転方向で不拘束とし、排土のみを行う。
(4) 前記掘削ロッドを引き上げる時には、前記掘削ロッドを持ち上げて、前記嵌挿杆を上方へ摺動させ、前記嵌合孔と前記嵌挿杆との係合を解いて、回転方向で不拘束とする。
【０００７】
また、他の発明は、掘削ロッドを、スクリュー付きの掘削ロッドとして、中掘工法に適用する杭穴掘削方法である。
【０００８】
前記において、係脱手段は基本的に回転方向に拘束性のある嵌合孔と、嵌挿軸との摺動嵌合による係脱である。従つて嵌合すると回転方向に拘束し、嵌合が解けると回転方向に不拘束となる。従来技術の主たる問題点は、掘削ロッドを昇降させる時に掘削ヘッドが回転して、コンクリートパイルの内壁又は杭穴壁を損傷することにある。特に中掘り工法におけるコンクリートパイルについては、損傷を防止することが重要であり、この発明による効果は大きい。
【０００９】
前記発明において掘削ヘッドの上端と、掘削ロッドの下端との協同により係合手段を設ければ、連結杆を必要としない。この場合の構造は、掘削ロッド側に例えば嵌挿杆を設け、掘削ヘッド側に例えば六角孔を設けることにより構成することができる。
【００１０】
【作用】
この発明は、掘削ロッドと掘削ヘッドとを回転方向係脱自在としたので、掘削不用の場合には掘削ヘッドを不拘束とし、掘削ロッドのみを回転することができる。
【００１１】
従つてスクリュー付の掘削ロッドにおいては、掘削しない時にも泥土の排出をすることができる。
【００１２】
【実施例１】
図１、２、３についてこの発明の実施例を説明する。
【００１３】
掘削ロッド１の下端上連結杆１ａに外壁が六角筒の嵌挿杆５を連設し、該嵌挿杆５を連結杆４の上部に嵌挿する。前記連結杆４の上部内側は、上部から大径の円筒孔３が設けられ、その下部には、前記嵌挿杆５に嵌装する六角孔２が連設されている。
【００１４】
前記連結杆４の上部には、掘削ロッド１の連結杆１ａの側壁と連結杆との水密を図る為に水密リング７が固定され、前記嵌挿杆５の基部には、嵌挿杆５の落抜を防止する為のストップリング６が固定されている。図１、又は２中２０は連結杆４の嵌挿筒、２２は螺旋羽根である。図２のように嵌挿杆５を六角孔２に嵌挿すれば、両者は一体的に係合し、回転方向に拘束される。
【００１５】
また図１のように、嵌挿杆５が矢示１０のように上方へ摺動すれば、六角孔２と嵌挿杆５の係合がとけるので、両者は回転方向に不拘束となる。従つて掘削時には掘削ロッド１の上連結杆１ａを図１中矢示１１のように下方へ摺動させ図２のように両者を嵌合させて、下圧力を加えつつ掘削し、排土のみを行う時、又は掘削ロッド１を引上げる時には、掘削ロッド１を図２中矢示１２のように持ち上げて、図１のような嵌合状態にして回転すれば、掘削ヘッド９との回転方向の係脱ができる。
【００１６】
また掘削ヘッド９の連結軸８に、連結杆４の嵌挿筒を嵌装し、ピン２１、２１を挿通すれば、掘削ヘッド９と連結杆４とを連結することができる。
【００１７】
前記実施例は、掘削ロッド１の上連結杆１ａに嵌挿杆５を設け、連結杆４に六角孔２を設けたが、相互の嵌合構造を入れかえ、掘削ロッド１の上連結杆１ａに六角孔を設け、連結杆４に嵌挿杆を設けても、係脱構造を得ることができる。
【００１８】
また前記連結杆に代えて、掘削ヘッドの連結軸を加工し、掘削ロッドとの係脱構造を得ることもできる。
【００１９】
【実施例２】
図４の実施例は、連結杆４の四角孔１３と、掘削ロッド１の四角の嵌挿杆１４を用いた場合を示し、作用効果は図１の実施例と同一である。
【００２０】
【実施例３】
図５の実施例は、連結杆４のスプライン孔１５とスプライン軸１６との嵌合による係脱手段を示す。スプライン軸１６の連結については伝動軸として多数使用されており、軸の連結としては熟した技術である。
【００２１】
【実施例４】
図６の実施例は、連結杆４の嵌合孔の縦溝１７と、掘削ロッドの突起１８付の嵌挿杆１９とを嵌合させたもので、実質的にはスプライン軸と同様であるが、縦溝１７および突起１８の数が少ない（例えば２〜４本）ので加工が容易である。
【００２２】
【発明の効果】
この発明によれば、掘削ロッドと掘削ヘッドとを回転方向係脱自在に連結、（又は連結杆を介して連結）したので、非掘削時であって、排土のみを行うときには、掘削ロッドのみを回転させることができる効果がある。
【００２３】
従つて掘削ヘッドの空回転（掘削しない回転）により、コンクリートパイルの内壁又は杭穴壁を損傷するおそれはないなどの効果がある。
【図面の簡単な説明】
【図１】
この発明の実施例の係止嵌合状態における断面図。
【図２】
同じく係止解除状態における断面図。
【図３】
同じく図１中係止嵌合部の横断面図。
【図４】
同じく他の実施例の係止嵌合部の横断面図。
【図５】
同じくスプライン係止嵌合部の横断面図。
【図６】
同じく縦溝と突起の係止嵌合部の横断面図。
【符号の説明】
１  掘削ロッド
１ａ  上連結杆
２  六角孔
３  円筒孔
４  連結杆
５  嵌挿杆
６  ストップリング
７  水密リング
８  連結軸
９  掘削ヘッド
１３  四角孔
１４  嵌挿杆
１５  スプライン孔
１６  スプライン軸
１７  縦溝
１８  突起
１９  嵌挿杆
２０  嵌装筒
２１  ピン
２２  螺旋羽根
【図１】
0003543227.tif 000002
【図２】
0003543227.tif 000003
【図３】
0003543227.tif 000004
【図４】
0003543227.tif 000005
【図５】
0003543227.tif 000006
【図６】
0003543227.tif 000007